(57)【要約】【課題】今までにない新規な形態のラベルであって、優れた販促効果を発揮する缶用ラベルを提供すること。【解決手段】缶の上蓋より大きなサイズの板紙からなり、上蓋を覆う領域より外側で且つ対向する２箇所にそれぞれ折曲げ領域１１，１２を形成するため２本の弓状の切込線１３，１４が設けられ、その切込線１３，１４の一部によって各折曲げ領域１１，１２の中ほどに爪部分１５，１６が区画されてなるラベルであって、缶の上部に載置する時に各折曲げ領域１１，１２を下方に折り曲げてそれぞれ内側向きの爪部分１５，１６を出し、それらの爪部分１５，１６を上蓋における縁の外側に引っかけることにより、缶の上部に取り付ける。缶の上蓋を覆う以上のサイズであり、広告を表示したり特典を付けたりするためのスペースを大きくとることができるため、これを缶の上部に取り付けることで缶の販促効果を上げることができる。【選択図】図２
2005107469.tif 000002
【特許請求の範囲】
【請求項１】
缶の上蓋より大きなサイズの板紙からなり、上蓋を覆う領域より外側で且つ対向する２箇所にそれぞれ折曲げ領域を形成するため２本の弓状の切込線が設けられ、その切込線の一部によって各折曲げ領域の中ほどに爪部分が区画されてなるラベルであって、缶の上部に載置する時に各折曲げ領域を下方に折り曲げてそれぞれ内側向きの爪部分を出し、それらの爪部分を上蓋における縁の外側に引っかけることにより、缶の上部に取り付けることを特徴とする缶用ラベル。
【請求項２】
缶の上蓋より大きなサイズの板紙からなり、上蓋を覆う領域より外側で且つ周方向の３箇所にそれぞれ折曲げ領域を形成するため３本の弓状の切込線が設けられ、その切込線の一部によって各折曲げ領域の中ほどに爪部分が区画されてなるラベルであって、缶の上部に載置する時に各折曲げ領域を下方に折り曲げてそれぞれ内側向きの爪部分を出し、それらの爪部分を上蓋における縁の外側に引っかけることにより、缶の上部に取り付けることを特徴とする缶用ラベル。
【請求項３】
缶への取付状態において缶の直径以内に納まるサイズとしたことを特徴とする請求項２に記載の缶用ラベル。
【請求項４】
缶の上蓋より大きなサイズの板紙からなり、上蓋を覆う領域より外側で且つ周方向の３箇所にそれぞれ折曲げ領域を形成するため３本の弓状の切込線が設けられ、その切込線の一部によって各折曲げ領域の中ほどに爪部分が区画されてなるラベルであって、缶の上部に載置する時に弓状の切込線で囲まれた各円弧状部分をそれぞれ下方に折り返した状態にすると共に各折曲げ領域を下方に折り曲げてそれぞれ内側向きの爪部分を出し、それらの爪部分を上蓋における縁の外側に引っかけることにより、缶の上部に取り付けることを特徴とする缶用ラベル。
【請求項５】
缶への取付状態において缶の直径以内に納まるサイズとしたことを特徴とする請求項４に記載の缶用ラベル。
【発明の詳細な説明】
【技術分野】
【０００１】
本発明は、缶ジュースや缶ビールなどの飲料缶等に取り付けて使用される販促用の缶用ラベルに関するものである。
【背景技術】
【０００２】
従来、缶ジュースや缶ビールなどの飲料缶は、例えば新製品の販促を行うに際して缶自体に何らかの付加的な広告をしたり特典を付けたりするような場合、缶にはペットボトルの首部のような引っかける部分がなく、吊下タイプのラベルを引っかけるようなことができないことから、もっぱら缶の側面にシールを貼り付けることが行われている。一方、ペットボトルなど首のある容器の場合は、その首に引っかけるタイプのラベルが種々知られているが、このタイプのラベルを首部のない飲料缶に適用することはできない。
【特許文献１】特開２０００−３５５３１１号公報
【特許文献２】特開２００２−９１３０９号公報
【発明の開示】
【発明が解決しようとする課題】
【０００３】
上記したように飲料缶の場合は、販促手段としてその側面にシールを貼ることしかないが、このシールはサイズが小さくまた缶の絵柄と一体化してしまうため、店頭等においてあまり目立たない。したがって、シールを貼るという手段では販促効果を上げることは難しい。そこで、飲料業界にあっては、飲料缶に対しシール以外に新規な販促手段の出現が求められている。
【０００４】
本発明は、このような背景に鑑みてなされたものであり、その目的とするところは、今までにない新規な形態のラベルであって、優れた販促効果を発揮する缶用ラベルを提供することにある。
【課題を解決するための手段】
【０００５】
上記の目的を達成するため、本発明に係る第１のタイプの缶用ラベルは、缶の上蓋より大きなサイズの板紙からなり、上蓋を覆う領域より外側で且つ対向する２箇所にそれぞれ折曲げ領域を形成するため２本の弓状の切込線が設けられ、その切込線の一部によって各折曲げ領域の中ほどに爪部分が区画されてなるラベルであって、缶の上部に載置する時に各折曲げ領域を下方に折り曲げてそれぞれ内側向きの爪部分を出し、それらの爪部分を上蓋における縁の外側に引っかけることにより、缶の上部に取り付けることを特徴としている。
【０００６】
また、同様の目的を達成するため、本発明に係る第２のタイプの缶用ラベルは、缶の上蓋より大きなサイズの板紙からなり、上蓋を覆う領域より外側で且つ周方向の３箇所にそれぞれ折曲げ領域を形成するため３本の弓状の切込線が設けられ、その切込線の一部によって各折曲げ領域の中ほどに爪部分が区画されてなるラベルであって、缶の上部に載置する時に各折曲げ領域を下方に折り曲げてそれぞれ内側向きの爪部分を出し、それらの爪部分を上蓋における縁の外側に引っかけることにより、缶の上部に取り付けることを特徴としている。
【０００７】
また、同様の目的を達成するため、本発明に係る第３のタイプの缶用ラベルは、缶の上蓋より大きなサイズの板紙からなり、上蓋を覆う領域より外側で且つ周方向の３箇所にそれぞれ折曲げ領域を形成するため３本の弓状の切込線が設けられ、その切込線の一部によって各折曲げ領域の中ほどに爪部分が区画されてなるラベルであって、缶の上部に載置する時に弓状の切込線で囲まれた各円弧状部分をそれぞれ下方に折り返した状態にすると共に各折曲げ領域を下方に折り曲げてそれぞれ内側向きの爪部分を出し、それらの爪部分を上蓋における縁の外側に引っかけることにより、缶の上部に取り付けることを特徴としている。
【発明の効果】
【０００８】
本発明の缶用ラベルは、缶の上蓋を覆う以上のサイズであり、広告を表示したり特典を付けたりするためのスペースを大きくとることができるため、これを缶の上部に取り付けることで缶の販促効果を上げることができる。また、折曲げ領域に設けた爪部分を缶の上蓋における縁の外側に引っかけるだけでよいため、缶の上部にワンタッチで簡単に取り付けることができる。
【０００９】
そして、缶への取付状態において缶の直径以内に納まるサイズとしたことにより、缶をくっ付けた場合や転がした時に干渉しないこととなり、収納時や陳列時において邪魔にならない状態で取り付けることができる。
【発明を実施するための最良の形態】
【００１０】
図１は本発明に係る第１のタイプの缶用ラベルの一例を示す展開図、図２は図１の缶用ラベルを缶の上部に取り付ける様子を示す斜視図、図３は図１の缶用ラベルを缶の上部に取り付けた状態を示す斜視図である。
【００１１】
図１の缶用ラベル１０は、印刷済みの板紙を打ち抜いて作製された一枚もので、ほぼ八角形の形状をしており、そのサイズは取り付けるべき飲料缶Ｃの上蓋Ｃａより一回り大きくなっている。そして、飲料缶Ｃの上蓋Ｃａを覆う領域より外側で且つ対向する２箇所にそれぞれ折曲げ領域１１，１２を形成するため２本の弓状の切込線１３，１４が設けられ、その切込線１３，１４の一部によって各折曲げ領域１１，１２の中ほどに爪部分１５，１６が区画されている。なお、缶へのセット作業を容易にするため、図において一点鎖線で示す如く、切込線１３，１４の両端から外方に延びる折曲げ用の押罫を設けておくことが望ましい。
【００１２】
図１の缶用ラベル１０は、図２のように飲料缶Ｃの上部に載せるようにして取り付けるが、この時、各折曲げ領域１１，１２を下方に折り曲げることによりそれぞれ内側向きの爪部分１５，１６を出し、それらの爪部分１５，１６を上蓋Ｃａにおける縁の外側に引っかけることにより、図３に示す如く飲料缶Ｃの上部に取り付ける。このようにして飲料缶Ｃの上部に取り付けられた缶用ラベル１０は、爪部分１５，１６の引っ掛かりにより簡単には外れないし、また、ほぼ八角形の形状であるため、飲料缶Ｃの側面より外側に大きく飛び出た状態にはならない。
【００１３】
図４は本発明に係る第１のタイプの缶用ラベルの別の例を示す展開図、図５は図４の缶用ラベルを缶の上部に取り付ける様子を示す斜視図、図６は図４の缶用ラベルを缶の上部に取り付けた状態を示す斜視図である。
【００１４】
図４の缶用ラベル２０は、印刷済みの板紙を打ち抜いて作製された一枚もので、取り付けるべき飲料缶Ｃの上蓋Ｃａより一回り大きなサイズの本体部２０ａとそれに繋がる延設部２０ｂとからなっている。そして、本体部２０ａは、飲料缶Ｃの上蓋Ｃａを覆う領域より外側で且つ対向する２箇所にそれぞれ折曲げ領域２１，２２を形成するため２本の弓状の切込線２３，２４が設けられ、その切込線２３，２４の一部によって各折曲げ領域２１，２２の中ほどに爪部分２５，２６が区画されている。また、延設部２０ｂは一方の折曲げ領域２２に折曲げ線ａを介して接続している。なお、缶へのセット作業を容易にするため、図４において一点鎖線で示す如く、切込線２３，２４の両端から外方に延びる折曲げ用の押罫を設けておくことが望ましい。
【００１５】
図４の缶用ラベル２０は、図５のように飲料缶Ｃの上部に載せるようにして取り付けるが、この時、各折曲げ領域２１，２２を下方に折り曲げることによりそれぞれ内側向きの爪部分２５，２６を出し、それらの爪部分２５，２６を上蓋Ｃａにおける縁の外側に引っかけることにより、図６に示す如く飲料缶Ｃの上部に取り付ける。この時、延設部２０ｂは折曲げ線ａのところで下方に折り曲げておく。このようにして飲料缶Ｃの上部に取り付けられた缶用ラベル２０は、爪部分２５，２６の引っ掛かりにより簡単には外れないし、また、本体部２０ａに延設部２０ｂを設けているため、飲料缶Ｃの側面に延設部２０ｂからなる前垂れがある形状となる。
【００１６】
図７は本発明に係る第２のタイプの缶用ラベルの一例を示す展開図、図８は図７の缶用ラベルを缶の上部に取り付ける様子を示す斜視図、図９は図７の缶用ラベルを缶の上部に取り付けた状態を示す斜視図である。
【００１７】
図７の缶用ラベル３０は、印刷済みの板紙を打ち抜いて作製された一枚もので、三方が膨らんだおむすびの形状をしており、そのサイズは取り付けるべき飲料缶Ｃの上蓋Ｃａより一回り大きくなっている。そして、飲料缶Ｃの上蓋Ｃａを覆う領域より外側で且つ周方向に等間隔で３箇所にそれぞれ折曲げ領域３１，３２，３３を形成するため３本の弓状の切込線３４，３５，３６が設けられ、その切込線３４，３５，３６の一部によって各折曲げ領域３１，３２，３３の中ほどに周方向に等間隔で爪部分３７，３８，３９が区画されている。この３つの爪部分３７，３８，３９は、落下しない状態で引っ掛かりさえすれば必ずしも周方向に等間隔でなくてもよい。なお、缶へのセット作業を容易にするため、図７において一点鎖線で示す如く、切込線３４，３５，３６の両端から外方に延びる折曲げ用の押罫を設けておくことが望ましい。
【００１８】
図７の缶用ラベル３０は、図８のように飲料缶Ｃの上部に載せるようにして取り付けるが、この時、各折曲げ領域３１，３２，３３を下方に折り曲げることによりそれぞれ内側向きの爪部分３７，３８，３９を出し、それらの爪部分３７，３８，３９を上蓋Ｃａにおける縁の外側に引っかけることにより、図９に示す如く飲料缶Ｃの上部に取り付ける。このようにして飲料缶Ｃの上部に取り付けられた缶用ラベル３０は、爪部分３７，３８，３９の引っ掛かりにより簡単には外れない。また、この缶用ラベル３０は、おむすびの形状であるため、飲料缶Ｃの側面より外側に飛び出ずに収まった形状となる。すなわち、取付状態では缶Ｃの直径以内に納まるサイズとなり、缶Ｃを幾つか並べた際に、お互いの缶用ラベル３０同士は干渉しないことになる。したがって、段ボール詰めなどの際に有効であり、また陳列時に場所をとらずに並べることができる。
【００１９】
図１０は本発明に係る第３のタイプの缶用ラベルの一例を示す展開図、図１１は図１０の缶用ラベルを缶の上部に取り付ける様子を示す斜視図、図１２は図１０の缶用ラベルを缶の上部に取り付けた状態を示す斜視図である。
【００２０】
図１０の缶用ラベル４０は、印刷済みの板紙を打ち抜いて作製された一枚もので、三方が膨らんだおむすびの形状をしており、そのサイズは取り付けるべき飲料缶Ｃの上蓋Ｃａより一回り大きくなっている。そして、飲料缶Ｃの上蓋Ｃａを覆う領域より外側で且つ周方向に等間隔で３箇所にそれぞれ折曲げ領域４１，４２，４３を形成するため３本の弓状の切込線４４，４５，４６が設けられ、その切込線４４，４５，４６の一部によって各折曲げ領域４１，４２，４３の中ほどに周方向に等間隔で爪部分４７，４８，４９が区画されている。さらに、各切込線４４，４５，４６の両端を結ぶ直線状の押罫４４ａ，４５ａ，４６ａが設けられ、これらによって円弧状部分４１ａ，４２ａ，４３ａが区画されている。なお、３つの爪部分４７，４８，４９は、落下しない状態で引っ掛かりさえすれば必ずしも周方向に等間隔でなくてもよい。なお、缶へのセット作業を容易にするため、図１０に示す如く、切込線４４，４５，４６の両端から外方に延びる折曲げ用の押罫を、直線状の押罫４４ａ，４５ａ，４６ａを延長する形で設けておくことが望ましい。
【００２１】
図１０の缶用ラベル４０は、図１１のように飲料缶Ｃの上部に載せるようにして取り付けるが、この時、図示の如く円弧状部分４１ａ，４２ａ，４３ａをそれぞれ押罫４４ａ，４５ａ，４６ａのところで下方に折り返すと共に、各折曲げ領域４１，４２，４３を切込線４４，４５，４６の両端外方にある押罫のところで下方に折り曲げることによりそれぞれ内側向きの爪部分４７，４８，４９を出す。そして、円弧状部分４１ａ，４２ａ，４３ａを折り返した状態のままで、爪部分４７，４８，４９を上蓋Ｃａにおける縁の外側に引っかけることにより、図１２に示す如く飲料缶Ｃの上部に取り付ける。このようにして飲料缶Ｃの上部に取り付けられた缶用ラベル４０は、折返し状態の円弧状部分４１ａ，４２ａ，４３ａが上向きに押し上げるバネの働きをして、上蓋Ｃａの縁に対する爪部分４７，４８，４９の密着性が高まるため、飲料缶Ｃの上部から簡単に外れることはない。また、この缶用ラベル４０もおむすびの形状であるため、飲料缶Ｃの側面より外側に飛び出ずに収まった形状となる。すなわち、取付状態では缶Ｃの直径以内に納まるサイズとなり、缶Ｃを幾つか並べた際に、お互いの缶用ラベル４０同士は干渉しないことになる。したがって、段ボール詰めなどの際に有効であり、また陳列時に場所をとらずに並べることができる。また、自動販売機に投入する缶にも利用できるため、購入時にラベルが付いている場合は当たりとすることも可能である。
【００２２】
上記で説明した缶用ラベル１０，２０，３０，４０は、飲料缶Ｃの上蓋Ｃａを覆う領域がシールに比べると格段に広いので、ここに商品広告の印刷を施すと大きく目立たせることができる。また、印刷を施すほか、例えばスクラッチ式やめくり式等のクジ部を設けることもできる。また、特に図４のタイプの缶用ラベル２０では、延設部２０ｂにも適宜な印刷を施すほか、延設部２０ｂを例えば切取り可能なクーポン券とすることもできる。
【００２３】
また、上記した本発明の缶用ラベルは、飲料缶から取り外した後、ひっくり返してコースターとして利用することもできる。また、開けた飲料缶に被せて、虫やゴミが入らない程度の簡単な蓋として利用することもできる。また、本発明の缶用ラベルは、板紙製として低コスト、環境対応とすることもでき、或いは、樹脂系の材料で作製するなど、必要に応じて耐水性を持たせることもできる。さらには、板紙にマットコート紙を用いてインクジェット印刷を可能とし、クジ部にコード印刷を施すこともできる。
【００２４】
図１０の缶用ラベル４０にめくり式のクジ部を設けた例を図１３に示す。この例のように紙を２枚貼り合わせた板紙をラベルに用いると、上側の紙にミシンにより開口部を設けることでクジ機能を付加できる。なお、このめくり式のクジ部は、ミシンを入れる面によって表側でも裏側でも設けることが可能である。また、前記したようにインクジェット等の印字適性のある用紙を使用すれば、抽選番号などの情報を付加したクジ部にすることもできる。
【００２５】
また、図１０のタイプの缶用ラベル４０は、特に外れにくいという特性を活かし、ラベルの裏側に所謂おまけを接着剤や両面テープで取り付けることで、おまけ付きの蓋として利用することができる。すなわち、蓋を外すと裏からおまけが出てくるという仕掛けを設けることできる。
【産業上の利用可能性】
【００２６】
本発明の缶用ラベルは、一般に用いられているアルミ缶、スチール缶の何れにも対応することができる。そして、缶ジュースや缶ビールなどの飲料缶に販促用として取り付けて使用するのが好適であるが、上蓋がありさえすれば任意のタイプの缶に取り付けて使用することが可能である。
【図面の簡単な説明】
【００２７】
【図１】本発明に係る第１のタイプの缶用ラベルの一例を示す展開図である。
【図２】図１の缶用ラベルを缶の上部に取り付ける様子を示す斜視図である。
【図３】図１の缶用ラベルを缶の上部に取り付けた状態を示す斜視図である。
【図４】本発明に係る第１のタイプの缶用ラベルの別の例を示す展開図である。
【図５】図４の缶用ラベルを缶の上部に取り付ける様子を示す斜視図である。
【図６】図４の缶用ラベルを缶の上部に取り付けた状態を示す斜視図である。
【図７】本発明に係る第２のタイプの缶用ラベルの別の例を示す展開図である。
【図８】図７の缶用ラベルを缶の上部に取り付ける様子を示す斜視図である。
【図９】図７の缶用ラベルを缶の上部に取り付けた状態を示す斜視図である。
【図１０】本発明に係る第３のタイプの缶用ラベルの別の例を示す展開図である。
【図１１】図１０の缶用ラベルを缶の上部に取り付ける様子を示す斜視図である。
【図１２】図１０の缶用ラベルを缶の上部に取り付けた状態を示す斜視図である。
【図１３】図１０の缶用ラベルにめくり式のクジ部を設けた例を示す説明図である。
【符号の説明】
【００２８】
Ｃ  飲料缶
Ｃａ  上蓋
１０  缶用ラベル
１１，１２  折曲げ領域
１３，１４  切込線
１５，１６  爪部分
２０  缶用ラベル
２０ａ  本体部
２０ｂ  延設部
２１，２２  折曲げ領域
２３，２４  切込線
２５，２６  爪部分
３０  缶用ラベル
３１，３２，３３  折曲げ領域
３４，３５，３６  切込線
３７，３８，３９  爪部分
４０  缶用ラベル
４１，４２，４３  折曲げ領域
４１ａ，４２ａ，４３ａ  円弧状部分
４４，４５，４６  切込線
４４ａ，４５ａ，４６ａ  押罫
４７，４８，４９  爪部分
【図１】
2005107469.tif 000003
【図２】
2005107469.tif 000004
【図３】
2005107469.tif 000005
【図４】
2005107469.tif 000006
【図５】
2005107469.tif 000007
【図６】
2005107469.tif 000008
【図７】
2005107469.tif 000009
【図８】
2005107469.tif 000010
【図９】
2005107469.tif 000011
【図１０】
2005107469.tif 000012
【図１１】
2005107469.tif 000013
【図１２】
2005107469.tif 000014
【図１３】
2005107469.tif 000015